(57)【特許請求の範囲】
【請求項１】
収納部を備え、前記収納部は鉛直方向に伸びる仕切壁によって第一収納室および第二収納室に仕切られ、前記仕切壁の一方の面が前記第一収納室の側に露出し、前記仕切壁の他方の面が前記第二収納室に露出した筐体と、
前記第一収納室に収納され、インバータ回路または前記インバータ回路を制御するインバータ制御回路を有し、前記仕切壁の前記一方の面に取り付けられた回路基板と、
前記第二収納室に収納され、前記仕切壁の前記他方の面における前記回路基板の反対側の部位に取り付けられ、内部に冷却液が流れる水冷放熱部材と、
前記第二収納室に収納され、前記仕切壁の前記他方の面に取り付けられ、前記インバータ回路とともに回路を構築する発熱部品と、
前記第二収納室を流れる流通空気を発生させる冷却ファンと、
前記筐体の内部または前記筐体の外部の温度を検知する温度センサと、
前記冷却ファンを駆動する冷却ファン制御回路と、
を備え、
前記冷却ファン制御回路は、前記温度センサの検知温度が予め定められた所定温度より高い場合には、前記冷却ファンをオンとするように構築され、
前記冷却ファン制御回路は、前記検知温度が前記所定温度以下となった場合には、前記冷却ファンをオフとするように又は前記オンのときより前記流通空気の風速を小さくするように前記冷却ファンを制御し、
前記発熱部品は、前記仕切壁の前記他方の面において前記水冷放熱部材の鉛直方向直下に配置された電力変換装置。
【請求項２】
前記筐体は、天井側通気口を備える天井部と、床側通気口を備える床部と、を備え、
前記収納部は、前記天井部と前記床部との間に設けられ前記天井部および前記床部と連通し、
前記冷却ファン制御回路は、前記検知温度が前記所定温度より高い場合には前記流通空気が前記天井側通気口から前記床側通気口へ向かって流れるように前記冷却ファンを駆動させ、
前記冷却ファン制御回路は、前記検知温度が前記所定温度以下となった場合には前記冷却ファンをオフとするように構築された請求項１に記載の電力変換装置。
【請求項３】
前記発熱部品は、リアクトルとコンデンサとを含み、
前記水冷放熱部材の鉛直方向直下に、鉛直方向に沿って一列に前記リアクトルと前記コンデンサとが並べられた請求項１または２に記載の電力変換装置。
【請求項４】
前記水冷放熱部材は不凍液を備え、
前記所定温度は、前記不凍液の凍結温度よりも高く且つ０℃未満に定められた温度である請求項１〜３のいずれか１項に記載の電力変換装置。
【発明の詳細な説明】
【技術分野】
【０００１】
この出願は、電力変換装置に関する。
【背景技術】
【０００２】
従来、例えば日本特開２０１２−２２８０６２号公報に開示されているように、換気用の換気ファンを備えたパワーコンディショナが知られている。この公報にかかる技術では、パワーコンディショナの筐体の側面に換気フィルタが埋め込まれている。この換気フィルタと重なるように筐体の内部に換気ファンが配置されている。換気フィルタに付着した塵埃を除去できるように、換気ファンを正回転と逆回転とで切り換えることができる。ただし、上記公報では、換気ファンの取り付け位置について、図１の斜視図において筐体の側面に配置されることが図示され、段落００１７で付随的な説明がされているにすぎない。
【先行技術文献】
【特許文献】
【０００３】
【特許文献１】日本特開２０１２−２２８０６２号公報
【発明の概要】
【発明が解決しようとする課題】
【０００４】
パワーコンディショナは、直流電力を交流電力に変換する電力変換装置である。この種の電力変換装置は、筐体と、筐体に内蔵された回路基板と、回路基板から熱を受け取る放熱部材と、放熱部材を冷却する冷却ファンと、を備えている。上記従来技術においては、換気フィルタを用いることで、筐体に入り込む塵埃を低減している。しかしながら、換気フィルタによる除去によって塵埃を減少させることには限度があるという問題があった。そこで、本願発明者は、塵埃低減のための冷却ファン制御あるいは冷却ファンの取り付け位置について検討することで、上記従来技術とは異なるアプローチによって塵埃低減を実現する技術を見出した。これらの点において、上記従来技術はいまだ改善の余地を残すものであった。【０００５】
この出願は、上述のような課題を解決するためになされたものである。この出願の目的は、筐体に入り込む塵埃を低減できるように改善された電力変換装置を提供することである。
【課題を解決するための手段】
【０００６】
本願で開示される電力変換装置は、
収納部を備え、前記収納部は鉛直方向に伸びる仕切壁によって第一収納室および第二収納室に仕切られ、前記仕切壁の一方の面が前記第一収納室の側に露出し、前記仕切壁の他方の面が前記第二収納室に露出した筐体と、
前記第一収納室に収納され、インバータ回路または前記インバータ回路を制御するインバータ制御回路を有し、前記仕切壁の前記一方の面に取り付けられた回路基板と、
前記第二収納室に収納され、前記仕切壁の前記他方の面における前記回路基板の反対側の部位に取り付けられ、内部に冷却液が流れる水冷放熱部材と、
前記第二収納室に収納され、前記仕切壁の前記他方の面に取り付けられ、前記インバータ回路とともに回路を構築する発熱部品と、
前記第二収納室を流れる流通空気を発生させる冷却ファンと、
前記筐体の内部または前記筐体の外部の温度を検知する温度センサと、
前記冷却ファンを駆動する冷却ファン制御回路と、
を備え、
前記冷却ファン制御回路は、前記温度センサの検知温度が予め定められた所定温度より高い場合には、前記冷却ファンをオンとするように構築され、
前記冷却ファン制御回路は、前記検知温度が前記所定温度以下となった場合には、前記冷却ファンをオフとするように又は前記オンのときより前記流通空気の風速を小さくするように前記冷却ファンを制御し、
前記発熱部品は、前記仕切壁の前記他方の面において前記水冷放熱部材の鉛直方向直下に配置されたものである。
【発明の効果】
【０００８】
上記第一の電力変換装置によれば、検知温度に応じて必要な冷却量を判断し、必要に応じて流通空気の風速を加減するように、冷却ファンの動作を切り換えることができる。冷却の必要性が高いときには、冷却ファンをオンとすることで、流通空気で回路基板を冷却することができる。冷却の必要性が低いときには、冷却ファンをオフまたは低速駆動とすることで、塵埃を含む外気が入り込む量を低減することができる。【０００９】
上記第二の電力変換装置によれば、次の効果が得られる。塵埃は重力によって鉛直方向へと落ち、低いところに溜まる。床部の側は、塵埃が溜まりやすい。天井部から空気を取り入れて床部へと流すことによって、床部の側から塵埃が入り込むことを抑制できる。
【図面の簡単な説明】
【００１０】
【図１】実施の形態１にかかる電力変換装置およびこれを用いた電力システムを示す図である。
【図２】実施の形態１にかかる電力変換装置の回路図である。
【図３】実施の形態１にかかる電力変換装置の内部構造を示す断面図であり、図１のＡ−Ａ仮想平面に沿う段面図である。
【図４】実施の形態１にかかる電力変換装置の内部構造を示す斜視図である。
【図５】実施の形態１にかかる電力変換装置の内部構造を示す平面図である。
【図６】実施の形態１にかかる電力変換装置の動作を説明するための図である。
【図７】実施の形態１にかかる電力変換装置の動作を説明するための図である。
【図８】実施の形態１の変形例にかかる電力変換装置の内部構造を示す断面図である。
【図９】実施の形態１の変形例にかかる電力変換装置の内部構造を示す断面図である。
【図１０】実施の形態１の変形例にかかる電力変換装置の内部構造を示す断面図である。
【図１１】実施の形態１の変形例にかかる電力変換装置の内部構造を示す断面図である。
【図１２】実施の形態１の変形例にかかる電力変換装置の内部構造を示す断面図である。
【図１３】実施の形態１の変形例にかかる電力変換装置の内部構造を示す断面図である。
【図１４】実施の形態２にかかる電力変換装置の回路図である。
【図１５】実施の形態３にかかる電力変換装置の内部構造を示す断面図である。
【図１６】実施の形態３の変形例にかかる電力変換装置の内部構造を示す断面図である。
【発明を実施するための形態】
【００１１】
実施の形態１．
図１は、実施の形態１にかかる電力変換装置２０およびこれを用いた電力システム１を示す図である。電力システム１は、複数の太陽電池モジュール１２で構成された太陽電池アレイ１０と、電力変換装置２０と、出力配線１６を介して電力変換装置２０から交流電力を受け取る変圧器１８と、を備えている。電力変換装置２０は、入力配線１４を介して太陽電池アレイ１０から受け取った直流電力を交流電力に変換する。電力システム１は、いわゆる分散型電源である。太陽電池アレイ１０の代わりに、他の直流電源を設けても良い。他の直流電源は、蓄電池、燃料電池、あるいは直流電力を出力する風力発電装置を含む。
【００１２】
電力システム１が持つ電力変換装置２０は、変圧器１８を介して電力系統１９と接続している。電力システム１は、電力系統１９と連系運転している。電力変換装置２０は、一つの制御装置２２ａと、四つのインバータ装置２２ｂ、２２ｃ、２２ｄ、２２ｅと、を備えている。
【００１３】
図２は、実施の形態１にかかる電力変換装置２０の回路図である。図１に示したシステム構成の一部を、回路図で表したものである。制御装置２２ａと、インバータ装置２２ｂ、２２ｃ、２２ｄ、２２ｅは、それぞれ、筐体２１を備えている。インバータ装置２２ｂからインバータ装置２２ｅのそれぞれは、筐体２１の内部に、インバータ回路基板２３０と、冷却ファン２０９と、を備えている。インバータ回路基板２３０は、ＩＧＢＴあるいはＭＯＳＦＥＴなどの半導体スイッチング素子と、フライホイールダイオードと、を備えている。
【００１４】
制御装置２２ａは、筐体２１の内部に、インバータ制御回路基板３０を備えている。インバータ制御回路基板３０は、冷却ファン制御回路３２と、温度センサ３４を含んでいる。インバータ制御回路基板３０は、インバータ回路基板２３０が備える半導体スイッチング素子をオンオフするＰＷＭ信号を生成する。温度センサ３４は、筐体２１の内部または筐体２１の外部の温度を検知する冷却ファン制御回路３２は、電力変換装置２０の作動中に冷却ファン２０９を駆動する。
【００１５】
図３は、実施の形態１にかかる電力変換装置２０の内部構造を示す断面図であり、図１のＡ−Ａ仮想平面に沿う段面図である。図３を用いてインバータ装置２２ｂの構造を説明する。図３の構造は、他のインバータ装置２２ｃ、２２ｄ、２２ｅに対しても同様に適用されている。
【００１６】
インバータ装置２２ｂは、インバータ装置構成要素を内蔵するための筐体２１を備えている。筐体２１は、天井側通気口２４１を備える天井部２１ａと、床側通気口２４２を備える床部２１ｃと、天井部２１ａと床部２１ｃとの間に設けられた収納部２１ｂと、を備えている。収納部２１ｂは、天井部２１ａおよび床部２１ｃと連通している。
【００１７】
天井部２１ａと収納部２１ｂとの間には、天井板２１２が介在している。収納部２１ｂと床部２１ｃの間には、床板２１０が介在している。収納部２１ｂの前方は、開閉可能に構築された前方扉２０１が設けられている。収納部２１ｂの後方は、開閉可能に構築された後方扉２０２が設けられている。収納部２１ｂは、仕切壁２０３によって仕切られた第一収納室２２０および第二収納室２２２を含んでいる。
【００１８】
インバータ回路基板２３０は、収納部２１ｂに収納されており、具体的には収納部２１ｂが備える第一収納室２２０に収納されている。第一収納室２２０の側には、仕切壁２０３の一方の面が露出している。インバータ回路基板２３０は、仕切壁２０３の一方の面に取り付けられている。インバータ回路基板２３０は、仕切壁２０３の一方の面に直接接触する基板本体２０４と、基板本体２０４の上に実装された回路素子２０５と、を含んでいる。回路素子２０５は、前述した半導体スイッチング素子およびフライホイールダイオードを含む。
【００１９】
第二収納室２２２の側には、仕切壁２０３の他方の面が露出している。仕切壁２０３は、金属などの熱伝導性の高い材料で形成されることが好ましい。仕切壁２０３の他方の面に水冷放熱部材２０７が取り付けられている。水冷放熱部材２０７は、仕切壁２０３を挟んでインバータ回路基板２３０の反対側の部位に配置されている。
【００２０】
水冷放熱部材２０７は、内部に冷却液が流されるヒートパイプである。水冷放熱部材２０７に代えて、放熱フィンなどの空冷放熱部材を用いてもよい。仕切壁２０３の他方の面には、それぞれインバータ回路基板２３０に接続された第一発熱部品２０６および第二発熱部品２０８が取り付けられている。第一発熱部品２０６はリアクトルであり、第二発熱部品２０８はコンデンサである。
【００２１】
天井板２１２には、天井部２１ａの天井空間２２４と収納部２１ｂとを連通させる内部通気口２１２ａが設けられている。冷却ファン２０９が床板２１０に設置されることで、床部２１ｃの床下空間２２６と収納部２１ｂの第二収納室２２２とが連通している。
【００２２】
冷却ファン２０９は、第二収納室２２２を流れることで水冷放熱部材２０７に当たるように流通空気を発生させる。冷却ファン制御回路３２は、流通空気が天井側通気口２４１から床側通気口２４２へ向かって流れるように冷却ファン２０９を制御するように構築されている。冷却ファン２０９は、インバータ回路基板２３０を冷却するように収納部２１ｂを通じて流れる流通空気を発生させる。冷却ファン制御回路３２は、温度センサ３４の検知温度が予め定められた所定温度より高い場合には、冷却ファン２０９をオンとするように構築されている。これを冷却ファン２０９の「通常オン」とも称す。
【００２３】
冷却ファン制御回路３２は、検知温度が所定温度以下となった場合には、冷却ファン２０９をオフとするように構築されている。冷却ファン２０９をオンとすることで「強制空冷」が行われるのに対し、冷却ファン２０９をオフとすると「自冷」が行われる。
【００２４】
図４は、実施の形態１にかかる電力変換装置２０の内部構造を示す斜視図である。実施の形態１では、冷却ファン２０９を床板２１０に設置している。冷却ファン２０９は、比較的大型であることが好ましく、しかも羽と羽との隙間が十分に大きいことが好ましい。これは、冷却ファン２０９をオフとした「自冷中」に、空気の対流によって収納部２１ｂの下方から上方へ向かって流れる気流を生じさせるためである。
【００２５】
図５は、実施の形態１にかかる電力変換装置２０の内部構造を示す平面図である。図５に示すように、冷却ファン２０９は、床板２１０の平面視において水冷放熱部材２０７と重なるように、十分に大きく且つ床板２１０の中央部に設けられている。冷却ファン２０９のサイズは必要に応じて様々に変形できる。冷却ファン２０９の直径は、床板２１０の平面視において、水冷放熱部材２０７の外形よりも外側にはみ出るほどに大きく設計されてもよい。冷却ファン２０９の直径は、床板２１０の平面視において、水冷放熱部材２０７の外形の内側にとどまる程度の大きさに設計されてもよい。
【００２６】
図６および図７は、実施の形態１にかかる電力変換装置２０の動作を説明するための図である。図６は自冷中の様子を表しており、図７は強制空冷中の様子を表している。実施の形態１によれば、検知温度に応じて必要な冷却量を判断し、必要に応じて流通空気の風速を加減するように、冷却ファン２０９の動作を切り換えることができる。
【００２７】
冷却の必要性が低いときには、電力変換装置２０の作動中であっても冷却ファン２０９をオフとすることで、図６に示すように塵埃を含む外気が入り込むことを抑制することができる。冷却ファン２０９をオフとすれば、床側通気口２４２から流入する空気でインバータ回路基板２３０を自冷することもできる。冷却ファン２０９をオフとすれば、冷却ファン２０９の装置寿命を延ばすこともできる。外気は塵埃のみならず湿気も含んでいるので、湿気が筐体２１に入り込むことも抑制できる。
【００２８】
一方、冷却の必要性が高いときには冷却ファン２０９をオンとすることで、図７に示すように流通空気でインバータ回路基板２３０を冷却することができる。また、実施の形態１によれば、図７に示すように、流通空気が天井側通気口２４１から床側通気口２４２へ向かって流れるように冷却ファン２０９が制御される。塵埃は重力によって鉛直方向へと落ち、低いところに溜まる。従って、床部２１ｃの側は、塵埃が溜まりやすい。実施の形態１によれば、天井部２１ａから空気を取り入れて床部２１ｃへと流すことによって、床部２１ｃの側から第二収納室２２２へと塵埃が入り込むことを抑制できる。
【００２９】
実施の形態１の変形例について説明する。実施の形態１の変形例として、冷却ファン制御回路３２が、検知温度が所定温度以下となった場合に、冷却ファン２０９を低速制御するように構築されてもよい。低速制御とは、冷却ファン２０９の通常オンのときよりも流通空気の風速を小さくするように冷却ファン２０９を駆動させる制御である。具体的には、冷却ファン２０９の通常オンのときの冷却ファン２０９の回転速度を第一回転速度とし、冷却ファン２０９の低速制御のときの冷却ファン２０９の回転速度を第二回転速度とし、第一回転速度よりも第二回転速度が遅く設定される。
【００３０】
実施の形態１では、流通空気は、インバータ回路基板２３０と熱交換する水冷放熱部材２０７を介して間接的にインバータ回路基板２３０を冷却する。一方、変形例として、インバータ回路基板２３０に直接に流通空気を当てることでインバータ回路基板２３０を直接冷却してもよい。
【００３１】
実施の形態１ではインバータ回路基板２３０を内蔵したインバータ装置２２ｂを対象としているが、変形例として、制御装置２２ａに実施の形態１と同様の冷却ファン２０９を追加してもよい。制御装置２２ａとインバータ装置２２ｂ、２２ｃ、２２ｄ、２２ｅは、筐体２１を備えている点では共通し、筐体２１の内部にインバータ制御回路基板３０とインバータ回路基板２３０の何れを備えているかという点で相違している。冷却ファン２０９を制御装置２２ａに追加してもよい。
【００３２】
冷却ファン制御回路３２は、温度センサ３４の検知温度と、予め定められた所定温度との比較に基づいて、冷却ファン２０９の制御内容を切り換えている。ここで、所定温度のバリエーションを説明する。所定温度は、０℃より高い予め定めた温度に定められてもよい。所定温度は、室温である２７℃つまり３００Ｋに定められてもよい。所定温度は、２７℃より高い温度に定められてもよい。所定温度は、０℃より高く２７℃未満の温度に定められてもよい。所定温度は、ちょうど０℃に定められてもよい。
【００３３】
所定温度は、氷点下に定められてもよく、マイナス２０℃などに定められてもよい。水冷放熱部材２０７の不凍液が用いられている場合があり、不凍液はＬｏｎｇ  Ｌｉｆｅ  Ｃｏｏｌａｎｔとも呼ばれる。所定温度は、使用中の不凍液の凍結温度と同じに定めても良く、この凍結温度より高く０℃未満の温度に定めてもよい。
【００３４】
水冷放熱部材２０７の内部には冷却液が流通している。低温雰囲気で電力変換装置２０を作動させる際に、冷却ファン２０９の駆動によって冷気が水冷放熱部材２０７に積極的に当たることで、冷却液の凍結を招くおそれがある。低温雰囲気が発生する環境は、様々な場所があり、より具体的には、寒冷地と、標高の高い地域と、標高が低くとも冬季に凍結を招きやすい地形とを含む。インバータ回路基板２３０に設けられた回路素子２０５は、通電することで発熱する。冷却ファン２０９を止めるか或いは冷却ファン２０９の風速を下げると、水冷放熱部材２０７へ当たる冷気が少なくなる。水冷放熱部材２０７に当たる冷気が少なくなれば、回路素子２０５の発熱が水冷放熱部材２０７に伝わることで冷却液の凍結を防ぐことができる。そこで、冷却ファン２０９の駆動制御によって水冷放熱部材２０７の凍結防止を行うことができる。
【００３５】
変形例として、冷却ファン制御回路３２は、複数の所定温度を記憶していてもよい。複数の所定温度は、第一所定温度と、第一所定温度より低く定められた第二所定温度とを含んでもよい。冷却ファン制御回路３２は、検知温度が第一所定温度以下であり且つ第二所定温度よりも高い温度範囲に属する場合には、オンのときより流通空気の風速を小さくするように冷却ファン２０９を制御するように構築されてもよい。冷却ファン制御回路３２は、検知温度が第二所定温度以下となった場合には、冷却ファン２０９をオフとするように構築されていてもよい。
【００３６】
図８から図１３は、実施の形態１の変形例にかかる電力変換装置２０の内部構造を示す断面図である。第一発熱部品２０６、第二発熱部品２０８、および水冷放熱部材２０７の互いの位置関係は、様々なバリエーションを持っている。図８に示すように、リアクトルである第一発熱部品２０６とコンデンサである第二発熱部品２０８の両方が、水冷放熱部材２０７の下方に設けられていてもよい。水冷放熱部材２０７の上方に第一発熱部品２０６と第二発熱部品２０８のいずれか一方が設けられ、水冷放熱部材２０７の下方に第一発熱部品２０６と第二発熱部品２０８の他方が設けられてもよい。水冷放熱部材２０７の凍結対策として、第一発熱部品２０６および第二発熱部品２０８の発熱で暖められた熱気は上へと向かって上昇していくことを利用して、この熱気によって水冷放熱部材２０７を暖めてもよい。その結果、水冷放熱部材２０７の凍結を抑制することができる。
【００３７】
冷却ファン２０９の取り付け位置は、様々に変形することができる。図９に示すように、冷却ファン２０９を天井板２１２に取り付けてもよい。図１０に示すように、冷却ファン２０９を、床部２１ｃの後方側に取り付けてもよい。図１１に示すように、冷却ファン２０９を、床部２１ｃの前方側に取り付けてもよい。図１２に示すように、冷却ファン２０９を、天井部２１ａの後方側に取り付けてもよい。図１３に示すように、冷却ファン２０９を、天井部２１ａの前方側に取り付けてもよい。
【００３８】
実施の形態２．
図１４は、実施の形態２にかかる電力変換装置２９０の回路図である。冷却ファン制御回路３２が冷却ファン制御回路１３２に置換された点を除いて、実施の形態２にかかる電力変換装置２９０は、実施の形態１の電力変換装置２０と同様の構造を有している。実施の形態１とは異なり、電力変換装置２９０の作動中に冷却ファン制御回路１３２は冷却ファン２０９を常に一定速度で回転させるように構築されている。冷却ファン制御回路１３２は、流通空気が天井側通気口２４１から床側通気口２４２へ向かって流れるように冷却ファン２０９を制御する。
【００３９】
実施の形態２においても、実施の形態１において図７で示された矢印と同じの向きに、流通空気を流し続けることができる。塵埃は重力によって鉛直方向へと落ち、低いところに溜まる。床部２１ｃの側は、塵埃が溜まりやすい。天井部２１ａから空気を取り入れて床部２１ｃへと流すことによって、床部２１ｃの側から塵埃が入り込むことを抑制できる。図８から図９を用いて説明した変形例は、実施の形態２にも適用することができる。
【００４０】
実施の形態３．
図１５は、実施の形態３にかかる電力変換装置が備えるインバータ装置３２２ｂの内部構造を示す断面図である。図５に示すインバータ装置２２ｂの動作と図１５に示すインバータ装置３２２ｂの動作とを比較すると、風の流れを示す矢印の向きが逆になっている。実施の形態３では、冷却ファン制御回路３２が、流通空気が床側通気口２４２から天井側通気口２４１へ向かって流れるように冷却ファン２０９を制御する。つまり、実施の形態３では、冷却ファン２０９の回転方向が実施の形態１と逆側に設定される。実施の形態３は、他のインバータ装置２２ｃ、２２ｄ、２２ｅに対しても同様に適用することができ、制御装置２２ａに対しても適用することができる。
【００４１】
冷却ファン２０９の回転方向の違いを除いて、実施の形態３にかかるインバータ装置３２２ｂは、実施の形態１と共通の構造を備え且つ実施の形態１と同様の制御を実行する。実施の形態３によれば、図１５で示された矢印の向きに従って流通空気を流すとともに、実施の形態１と同様に、温度センサ３４の検知温度が所定温度より高いか否かに基づいて冷却ファン２０９の駆動制御を切り換えることができる。図８および図９を用いて説明した変形例は、実施の形態３にも適用することができる。
【００４２】
図１６は、実施の形態３の変形例に係るインバータ装置３２２ｂの内部構造を示す断面図である。図１６にかかる変形例は、第一発熱部品２０６、第二発熱部品２０８、および水冷放熱部材２０７との位置関係に関するものであり、これらの三つの構成要素のうち水冷放熱部材２０７を最も上方に配置するものである。
【００４３】
第一発熱部品２０６および第二発熱部品２０８の発熱で暖められた熱気は上へと向かって上昇していく。水冷放熱部材２０７の凍結対策として、この熱気によって水冷放熱部材２０７を暖めることができる。しかも実施の形態３では、冷却ファン２０９が収納部２１ｂの上方へ向かう気流を作り出すので、第一発熱部品２０６および第二発熱部品２０８の発熱により暖められた熱気が水冷放熱部材２０７に接することを促進できるという利点がある。
【符号の説明】
【００４４】
１  電力システム、１０  太陽電池アレイ、１２  太陽電池モジュール、１４  入力配線、１６  出力配線、１８  変圧器、１９  電力系統、２０、２９０  電力変換装置、２１  筐体、２１ａ  天井部、２１ｂ  収納部、２１ｃ  床部、２２ａ  制御装置、２２ｂ、２２ｃ、２２ｄ、２２ｅ、３２２ｂ  インバータ装置、３０  インバータ制御回路基板、３２、１３２  冷却ファン制御回路、３４  温度センサ、２０１  前方扉、２０２  後方扉、２０３  仕切壁、２０４  基板本体、２０５  回路素子、２０６  第一発熱部品（リアクトル）、２０７  放熱部材（水冷放熱部材）、２０８  第二発熱部品（コンデンサ）、２０９  冷却ファン、２１０  床板、２１２  天井板、２１２ａ  内部通気口、２２０  第一収納室、２２２  第二収納室、２２４  天井空間、２２６  床下空間、２３０  インバータ回路基板、２４１  天井側通気口、２４２  床側通気口
【図１】
0006901010.tif 000002
【図２】
0006901010.tif 000003
【図３】
0006901010.tif 000004
【図４】
0006901010.tif 000005
【図５】
0006901010.tif 000006
【図６】
0006901010.tif 000007
【図７】
0006901010.tif 000008
【図８】
0006901010.tif 000009
【図９】
0006901010.tif 000010
【図１０】
0006901010.tif 000011
【図１１】
0006901010.tif 000012
【図１２】
0006901010.tif 000013
【図１３】
0006901010.tif 000014
【図１４】
0006901010.tif 000015
【図１５】
0006901010.tif 000016
【図１６】
0006901010.tif 000017